【手続補正書】
【提出日】平成19年2月1日(2007.2.1)
【手続補正１】
【補正対象書類名】明細書
【補正対象項目名】発明の名称
【補正方法】変更
【補正の内容】
【発明の名称】撮像装置、その制御方法、及び記憶媒体
【手続補正２】
【補正対象書類名】明細書
【補正対象項目名】特許請求の範囲
【補正方法】変更
【補正の内容】
【特許請求の範囲】
【請求項１】  撮像素子から出力されＡ／Ｄ変換された画素データを一時記憶する一時記憶手段を有する撮像装置において、
前記一時記憶手段に対して複数の前記画素データを纏めてバースト転送する転送制御手段と、
前記転送制御手段によりバースト転送された複数の前記画素データを纏めて読み書きするように前記一時記憶手段に対するアクセス制御を行うアクセス制御手段と、
を備えたことを特徴とする撮像装置。
【請求項２】  前記一時記憶手段は、ＥＤＯ  ＤＲＡＭ（Ｅｘｔｅｎｄｅｄ
Ｄａｔａ  Ｏｕｔｐｕｔ  ＤＲＡＭ）、又はＳＤＲＡＭ（Ｓｙｎｃｈｒｏｎｏｕｓ  ＤＲＡＭ）により構成されていることを特徴とする請求項１記載の撮像装置。
【請求項３】  前記撮像素子は、複数ライン構成のカラー対応の撮像素子により構成され、前記一時記憶手段は、前記複数ラインに対応する各色の画素データ間のオフセットを解消するためのオフセットメモリとして用いられることを特徴とする請求項１又は２記載の撮像装置。
【請求項４】  前記転送制御手段は、前記撮像素子から出力されＡ／Ｄ変換された画素データを色別に複数の画素データに纏めてバースト転送することを特徴とする請求項１〜３のいずれかに記載の撮像装置。
【請求項５】  前記転送制御手段は、ＦＩＦＯ方式の記憶手段を用いてバースト転送制御を行うことを特徴とする請求項１〜４のいずれかに記載の撮像装置。
【請求項６】  前記転送制御手段は、ランダムアクセス型の記憶手段を用いてバースト転送制御を行うことを特徴とする請求項１〜４のいずれかに記載の撮像装置。
【請求項７】  前記アクセス制御手段は、前記オフセットを解消すべくアクセス制御を行うことを特徴とする請求項１〜６のいずれかに記載の撮像装置。
【請求項８】  前記アクセス制御手段は、同一の色に係る前後する２つのラインに対応する複数の前記画素データの２つの纏まりを連続的に読出すことを特徴とする請求項１〜７のいずれかに記載の撮像装置。
【請求項９】  前記アクセス制御手段は、同一の色に係る前後する２つのラインに対応する複数の前記画素データの２つの纏まりを連続的に読出すためのアクセス制御と、複数の前記画素データを纏めて書込むためのアクセス制御とを混在させて行うことを特徴とする請求項１〜８のいずれかに記載の撮像装置。
【請求項１０】  前記アクセス制御手段は、必要に応じて複数の前記画素データを纏めて書込むためのアクセス制御を専ら行うことを特徴とする請求項１〜９のいずれかに記載の撮像装置。
【請求項１１】  前記アクセス制御手段は、必要に応じて複数の前記画素データを纏めて読出すためのアクセス制御を専ら行うことを特徴とする請求項１〜１０のいずれかに記載の撮像装置。
【請求項１２】  前記アクセス制御手段により色別に複数個ずつ纏めて読出された画素データを、Ａ／Ｄ変換されて入力されてきた通りの色の配列順に配列し直す再配列手段を有することを特徴とする特徴とする請求項１〜１１のいずれかに記載の撮像装置。
【請求項１３】  前記転送制御手段が複数の前記画素データを纏めてバースト転送する際の画素データ数は固定的に設定されていることを特徴とする請求項１〜１２のいずれかに記載の撮像装置。
【請求項１４】  前記転送制御手段が複数の前記画素データを纏めてバースト転送する際の画素データ数は変更可能に設定されていることを特徴とする請求項１〜１２のいずれかに記載の撮像装置。
【請求項１５】  撮像素子から出力されＡ／Ｄ変換された画素データを一時記憶する一時記憶手段を有する撮像装置の制御方法であって、
前記一時記憶手段に対して複数の前記画素データを纏めてバースト転送する転送制御工程と、
前記転送制御工程によりバースト転送された複数の前記画素データを纏めて読み書きするように前記一時記憶手段に対するアクセス制御を行うアクセス制御工程と、
を備えたことを特徴とする撮像装置の制御方法。
【請求項１６】  撮像素子から出力されＡ／Ｄ変換された画素データを一時記憶する一時記憶手段を有する撮像装置により実行されるプログラムを記憶する記憶媒体であって、前記プログラムは、
前記一時記憶手段に対して複数の前記画素データを纏めてバースト転送する転送制御ルーチンと、
前記転送制御ルーチンによりバースト転送された複数の前記画素データを纏めて読み書きするように前記一時記憶手段に対するアクセス制御を行うアクセス制御ルーチンと、
を含むことを特徴とする記憶媒体。
【手続補正３】
【補正対象書類名】明細書
【補正対象項目名】０００３
【補正方法】変更
【補正の内容】
【０００３】
このような読取ラインのオフセットを解消するために、一般に、オフセット解消用のバッファメモリ（オフセットメモリ）を用いている。また、撮像装置においては、画像処理のために、撮像素子によって読取った数ライン前の同じ位置の画素データを同時に画像処理部に入力する必要がある。さらに、撮像素子によって読取られＡ／Ｄ変換手段によってデジタル変換された画素データをリアルタイムにホストコンピュータに送信するため、オフセットメモリに対するアクセスは、画素データの書込みと読出しが混在して繰り返し行われる。
【手続補正４】
【補正対象書類名】明細書
【補正対象項目名】００１０
【補正方法】変更
【補正の内容】
【００１０】
また、本発明は、撮像素子から出力されＡ／Ｄ変換された画素データを一時記憶する一時記憶手段を有する撮像装置の制御方法であって、前記一時記憶手段に対して複数の前記画素データを纏めてバースト転送する転送制御工程と、前記転送制御工程によりバースト転送された複数の前記画素データを纏めて読み書きするように前記一時記憶手段に対するアクセス制御を行うアクセス制御工程とを備えている。
【手続補正５】
【補正対象書類名】明細書
【補正対象項目名】００１４
【補正方法】変更
【補正の内容】
【００１４】
また、本発明では、前記転送制御手段は、前記撮像素子から出力されＡ／Ｄ変換された画素データを色別に複数の画素データに纏めてバースト転送している。
【手続補正６】
【補正対象書類名】明細書
【補正対象項目名】００１５
【補正方法】変更
【補正の内容】
【００１５】
また、本発明では、前記転送制御手段は、ＦＩＦＯ方式の記憶手段を用いてバースト転送制御を行っている。
【手続補正７】
【補正対象書類名】明細書
【補正対象項目名】００１６
【補正方法】変更
【補正の内容】
【００１６】
また、本発明では、前記転送制御手段は、ランダムアクセス型の記憶手段を用いてバースト転送制御を行っている。
【手続補正８】
【補正対象書類名】明細書
【補正対象項目名】００１７
【補正方法】変更
【補正の内容】
【００１７】
また、本発明では、前記アクセス制御手段は、前記オフセットを解消すべくアクセス制御を行っている。
【手続補正９】
【補正対象書類名】明細書
【補正対象項目名】００１８
【補正方法】変更
【補正の内容】
【００１８】
また、本発明では、前記アクセス制御手段は、同一の色に係る前後する２つのラインに対応する複数の前記画素データの２つの纏まりを連続的に読出している。
【手続補正１０】
【補正対象書類名】明細書
【補正対象項目名】００１９
【補正方法】変更
【補正の内容】
【００１９】
また、本発明では、前記アクセス制御手段は、同一の色に係る前後する２つのラインに対応する複数の前記画素データの２つの纏まりを連続的に読出すためのアクセス制御と、複数の前記画素データを纏めて書込むためのアクセス制御とを混在させて行っている。
【手続補正１１】
【補正対象書類名】明細書
【補正対象項目名】００２０
【補正方法】変更
【補正の内容】
【００２０】
また、本発明では、前記アクセス制御手段は、必要に応じて複数の前記画素データを纏めて書込むためのアクセス制御を専ら行っている。
【手続補正１２】
【補正対象書類名】明細書
【補正対象項目名】００２１
【補正方法】変更
【補正の内容】
【００２１】
また、本発明では、前記アクセス制御手段は、前記アクセス制御手段は、必要に応じて複数の前記画素データを纏めて読出すためのアクセス制御を専ら行っている。
【手続補正１３】
【補正対象書類名】明細書
【補正対象項目名】００２２
【補正方法】変更
【補正の内容】
【００２２】
また、本発明では、前記アクセス制御手段により色別に複数個ずつ纏めて読出された画素データを、Ａ／Ｄ変換されて入力されてきた通りの色の配列順に配列し直す再配列手段を有している。
【手続補正１４】
【補正対象書類名】明細書
【補正対象項目名】００２３
【補正方法】変更
【補正の内容】
【００２３】
また、本発明では、前記転送制御手段が複数の前記画素データを纏めてバースト転送する際の画素データ数は固定的に設定されている。
【手続補正１５】
【補正対象書類名】明細書
【補正対象項目名】００２４
【補正方法】変更
【補正の内容】
【００２４】
また、本発明では、前記転送制御手段が複数の前記画素データを纏めてバースト転送する際の画素データ数は変更可能に設定されている。